(57)【特許請求の範囲】
【請求項１】
形成すべきピット長に応じて記録用レーザ光を光ディスクに照射してピットを形成する光ディスク記録方法において、
記録を行おうとする光ディスクに、予め、記録パワーを変えて試し書きを行い、当該試し書きの際に、記録パワーごとに当該光ディスクからの反射光のパワーのピーク値または当該ピーク値に相当し代用できる他の変数の値と、当該反射光のパワーが当該ピーク値を越えて略々安定した状態での当該反射光のパワーの安定値または当該安定値に相当し代用できる他の変数の値とを検出し、当該試し書き後に、当該試し書き箇所を再生し、当該再生した信号に基づき、所望の再生信号特性が得られる記録パワーで記録したときの前記反射光のパワーのピーク値または当該ピーク値に相当し代用できる他の変数の値と、当該反射光のパワーが当該ピーク値を越えて略々安定した状態での当該反射光のパワーの安定値または当該安定値に相当し代用できる他の変数の値との関係を設定し、
前記光ディスクの実際の記録時に、ピットを形成するために前記光ディスクに対して前記記録用レーザ光の照射を開始した当初の当該光ディスクからの反射光のパワーのピーク値または当該ピーク値に相当し代用できる他の変数の値と、当該反射光のパワーが当該ピーク値を越えて略々安定した状態での当該反射光のパワーの安定値または当該安定値に相当し代用できる他の変数の値とを検出し、当該検出された反射光のパワーのピーク値または当該ピーク値に相当し代用できる他の変数の値と、当該反射光のパワーが当該ピーク値を越えて略々安定した状態での当該反射光のパワーの安定値または当該安定値に相当し代用できる他の変数の値とが前記試し書きに基づいて予め設定された関係になるように前記記録用レーザ光の記録パワーを可変制御してピットの形成を行なうことを特徴とする光ディスク記録方法。
【請求項２】
形成すべきピット長に応じて記録用レーザ光を光ディスクに照射してピットを形成する光ディスク記録方法において、
記録を行おうとする光ディスクに、予め、記録パワーを変えて試し書きを行い、当該試し書きの際に、記録パワーごとに当該光ディスクからの反射光のパワーのピーク値または当該ピーク値に相当し代用できる他の変数の値と、当該反射光のパワーが当該ピーク値を越えて略々安定した状態での当該反射光のパワーの安定値または当該安定値に相当し代用できる他の変数の値とを検出し、当該試し書き後に、当該試し書き箇所を再生し、当該再生した信号に基づき、所望の再生信号特性が得られる記録パワーで記録したときの前記反射光のパワーのピーク値または当該ピーク値に相当し代用できる他の変数の値と、当該反射光のパワーが当該ピーク値を越えて略々安定した状態での当該反射光のパワーの安定値または当該安定値に相当し代用できる他の変数の値との比を設定し、
前記光ディスクの実際の記録時に、ピットを形成するために前記光ディスクに対して前記記録用レーザ光の照射を開始した当初の当該光ディスクからの反射光のパワーのピーク値または当該ピーク値に相当し代用できる他の変数の値と、当該反射光のパワーが当該ピーク値を越えて略々安定した状態での当該反射光のパワーの安定値または当該安定値に相当し代用できる他の変数の値とを検出し、当該検出された反射光のパワーのピーク値または当該ピーク値に相当し代用できる他の変数の値と、当該反射光のパワーが当該ピーク値を越えて略々安定した状態での当該反射光のパワーの安定値または当該安定値に相当し代用できる他の変数の値との比が前記試し書きに基づいて予め設定された値になるように前記記録用レーザ光の記録パワー指令値を可変制御してピットの形成を行なうことを特徴とする光ディスク記録方法。
【請求項３】
形成すべきピット長に応じて記録用レーザ光を光ディスクに照射してピットを形成する光ディスク記録装置において、
ピットを形成するために前記光ディスクに対して前記記録用レーザ光の照射を開始した当初の当該光ディスクからの反射光のパワーのピーク値または当該ピーク値に相当し代用できる他の変数の値の情報を出力する反射光パワーピーク値情報出力手段と、
前記反射光のパワーが前記ピーク値を越えて略々安定した状態での当該反射光のパワーの安定値または当該安定値に相当し代用できる他の変数の値の情報を出力する反射光パワー安定値情報出力手段と、
記録を行おうとする光ディスクに、予め、記録パワーを変えて試し書きを行い、当該試し書きの際に、前記反射光パワーピーク値情報出力手段と前記反射光パワー安定値情報出力手段とにより、記録パワーごとに当該光ディスクからの反射光のパワーのピーク値または当該ピーク値に相当し代用できる他の変数の値と、当該反射光のパワーが当該ピーク値を越えて略々安定した状態での当該反射光のパワーの安定値または当該安定値に相当し代用できる他の変数の値とを検出し、当該試し書き後に、当該試し書き箇所を再生し、当該再生した信号に基づき、所望の再生信号特性が得られる記録パワーで記録したときの前記反射光のパワーのピーク値または当該ピーク値に相当し代用できる他の変数の値と、当該反射光のパワーが当該ピーク値を越えて略々安定した状態での当該反射光のパワーの安定値または当該安定値に相当し代用できる他の変数の値との関係を設定し、前記光ディスクの実際の記録時に、前記反射光パワーピーク値情報出力手段と前記反射光パワー安定値情報出力手段とにより、ピットを形成するために前記光ディスクに対して前記記録用レーザ光の照射を開始した当初の当該光ディスクからの反射光のパワーのピーク値または当該ピーク値に相当し代用できる他の変数の値と、当該反射光のパワーが当該ピーク値を越えて略々安定した状態での当該反射光のパワーの安定値または当該安定値に相当し代用できる他の変数の値とを検出し、当該検出された反射光のパワーのピーク値または当該ピーク値に相当し代用できる他の変数の値と、当該反射光のパワーが当該ピーク値を越えて略々安定した状態での当該反射光のパワーの安定値または当該安定値に相当し代用できる他の変数の値とが前記試し書きに基づいて予め設定された関係になるように前記記録用レーザ光の記録パワーを可変制御してピットの形成を行なう制御手段と
を具備してなる光ディスク記録装置。
【請求項４】
形成すべきピット長に応じて記録用レーザ光を光ディスクに照射してピットを形成する光ディスク記録装置において、
ピットを形成するために前記光ディスクに対して前記記録用レーザ光の照射を開始した当初の当該光ディスクからの反射光のパワーのピーク値または当該ピーク値に相当し代用できる他の変数の値の情報を出力する反射光パワーピーク値情報出力手段と、
前記反射光のパワーが前記ピーク値を越えて略々安定した状態での当該反射光のパワーの安定値または当該安定値に相当し代用できる他の変数の値の情報を出力する反射光パワー安定値情報出力手段と、
前記反射光のパワーのピーク値または当該ピーク値に相当し代用できる他の変数の値と前記反射光のパワーの安定値または当該ピーク値に相当し代用できる他の変数の値の比を求める演算手段と、
当該演算手段で求められた比を設定する比設定手段と、
記録を行おうとする光ディスクに、予め、記録パワーを変えて試し書きを行い、当該試し書きの際に、前記反射光パワーピーク値情報出力手段と前記反射光パワー安定値情報出力手段とにより、記録パワーごとに当該光ディスクからの反射光のパワーのピーク値または当該ピーク値に相当し代用できる他の変数の値と、当該反射光のパワーが当該ピーク値を越えて略々安定した状態での当該反射光のパワーの安定値または当該安定値に相当し代用できる他の変数の値とを検出し、当該試し書き後に、当該試し書き箇所を再生し、当該再生した信号に基づき、所望の再生信号特性が得られる記録パワーで記録したときの前記反射光のパワーのピーク値または当該ピーク値に相当し代用できる他の変数の値と、当該反射光のパワーが当該ピーク値を越えて略々安定した状態での当該反射光のパワーの安定値または当該安定値に相当し代用できる他の変数の値との比を前記演算手段で求めて前記比設定手段に設定し、前記光ディスクの実際の記録時に、前記反射光パワーピーク値情報出力手段と前記反射光パワー安定値情報出力手段とにより、ピットを形成するために前記光ディスクに対して前記記録用レーザ光の照射を開始した当初の当該光ディスクからの反射光のパワーのピーク値または当該ピーク値に相当し代用できる他の変数の値と、当該反射光のパワーが当該ピーク値を越えて略々安定した状態での当該反射光のパワーの安定値または当該安定値に相当し代用できる他の変数の値とを検出し、前記演算手段により、当該検出された反射光のパワーのピーク値または当該ピーク値に相当し代用できる他の変数の値と、当該反射光のパワーが当該ピーク値を越えて略々安定した状態での当該反射光のパワーの安定値または当該安定値に相当し代用できる他の変数の値との比を求め、当該求められた比が前記比設定手段に設定された値になるように前記記録用レーザ光の記録パワーを可変制御してピットの形成を行なう制御手段と
を具備してなる光ディスク記録装置。
【発明の詳細な説明】
【０００１】
【発明の属する技術分野】
この発明は、光ディスクに情報を記録するための光ディスク記録方法およびその装置に関し、適正な記録状態が得られるようにしたものである。
【０００２】
【従来の技術】
光ディスクには再生専用形、追記（ＷＯ：ライトワンス）形、書換え可能形等の種類がある。このうち、追記形光ディスクの一種である色素系ディスクは記録用レーザ光を照射して記録層にピットを形成することにより情報の記録を行なう。この記録の際には記録用レーザ光の照射パワー（記録パワー）によりピットの形成状況が変化し、これによりＣＤ規格等のマーク長記録方式ではアシンメトリ（ａｓｙｍｍｅｔｒｙ）  が変化する。
【０００３】
アシンメトリは光ディスクの記録信号の品位を評価するパラメータの１つで光ディスクの再生ＲＦ信号のアイパターンにおいてアイの中心が振幅の中心からずれる大きさを表わすものである。すなわち、例えば図２に示すように、１１Ｔ−１１Ｔの長い周期のピットを記録して再生した場合の波形と３Ｔ−３Ｔの短い周期のピットを記録して再生した場合の波形についてみると、それぞれの振幅の中心Ｅ，Ｆは、Ｅ＝（Ａ＋Ｂ）÷２Ｆ＝（Ｃ＋Ｄ）÷２であり、アシンメトリは、
アシンメトリ［％］＝（Ｆ−Ｅ）÷（Ａ−Ｂ）  （１）
として与えられる。記録パワーが大きくなるとＦ−Ｅは負となり、アシンメトリも負となる。振幅中心Ｅ，Ｆのずれはジッタとなって読取りエラーを生じさせるので、アシンメトリが一定範囲（例えば±１０％位）になるように記録パワーを設定することが必要である。
【０００４】
従来においては、様々な記録パワーで光ディスクに試し書きして、その中から最適なアシンメトリが得られる記録パワーを求め、この記録パワーを指令値として光ディスクに対する実際の記録を行なうようにしていた。
【０００５】
【発明が解決しようとする課題】
光ディスクの記録層は、色素系の場合、ディスク基板上に色素系記録材料をスピンコート法などで塗布して形成する。スピンコート法では、記録材料をディスク基板の内周側に滴下してディスク基板を回転することにより、記録材料を遠心力で外周方向に拡散してディスク基板全面に行きわたらせて塗布するため、ディスク基板径方向で塗布厚にむらが出やすい。このため、内周側と外周側では記録感度が異なり、同じ記録パワーで記録しても、内周側と外周側ではアシンメトリが変化する。また、記録に使うレーザ装置（レーザダイオード等）は、時間とともに出力レーザ光の波長が変化する。記録材料はレーザ光の波長によって感度が変化するので、同じ記録パワーで記録しても、レーザ光の波長によってアシンメトリが変化する。したがって、１枚の光ディスクを記録する際にも記録パワーの適正値は常に変化しており、前記従来の記録パワー指令値を固定して記録する方法では、光ディスクの全体にわたって適正な状態に記録することはできなかった。
【０００６】
この発明は、前記従来の技術における問題点を解決して、１枚の光ディスクの記録を行なう際の記録層の変化や記録用レーザ光の波長の変化等の状況の変化に対応して常に適正な記録状態が得られるようにした光ディスク記録方法を提供しようとするものである。
【０００７】
【課題を解決するための手段】
この発明の光ディスク記録方法は、形成すべきピット長に応じて記録用レーザ光を光ディスクに照射してピットを形成する光ディスク記録方法において、ピットを形成するために前記光ディスクに対して前記記録用レーザ光の照射を開始した当初の当該光ディスクからの反射光パワーのピーク値またはこれに相当する値と、当該反射光パワーが当該ピーク値を越えて略々安定した状態での当該反射光パワーの安定値またはこれに相当する値とが、試し書きに基づいて予め設定された関係になるように前記記録用レーザ光の記録パワーを可変制御してピットの形成を行なうことを特徴とするものである。
【０００８】
また、この発明の光ディスク記録方法は、形成すべきピット長に応じて記録用レーザ光を光ディスクに照射してピットを形成する光ディスク記録方法において、ピットを形成するために前記光ディスクに対して前記記録用レーザ光の照射を開始した当初の当該光ディスクからの反射光パワーのピーク値またはこれに相当する値と、当該反射光パワーが当該ピーク値を越えて略々安定した状態での当該反射光パワーの安定値またはこれに相当する値との比が試し書きに基づいて予め設定された値になるように前記記録用レーザ光の記録パワー指令値を可変制御してピットの形成を行なうことを特徴とするものである。
【０００９】
この発明の光ディスク記録装置は、形成すべきピット長に応じて記録用レーザ光を光ディスクに照射してピットを形成する光ディスク記録装置において、ピットを形成するために前記光ディスクに対して前記記録用レーザ光の照射を開始した当初の当該光ディスクからの反射光パワーのピーク値またはこれに相当する値の情報を出力する反射光パワーピーク値情報出力手段と、前記反射光パワーが前記ピーク値を越えて略々安定した状態での当該反射光パワーの安定値またはこれに相当する値の情報を出力する反射光パワー安定値情報出力手段と、前記反射光パワーピーク値またはこれに相当する値と前記反射光パワーの安定値またはこれに相当する値の比を求める演算手段と、前記記録用レーザ光の照射を開始した当初の当該光ディスクからの反射光パワーのピーク値またはこれに相当する値と、前記反射光パワーが前記ピーク値を越えて略々安定した状態での当該反射光パワーの安定値またはこれに相当する値とが、試し書きに基づいて予め設定された関係になるように前記記録用レーザ光の記録パワーを可変制御してピットの形成を行なう記録パワー制御手段とを具備してなるものである。
【００１０】
また、この発明の光ディスク記録装置は、形成すべきピット長に応じて記録用レーザ光を光ディスクに照射してピットを形成する光ディスク記録装置において、ピットを形成するために前記光ディスクに対して前記記録用レーザ光の照射を開始した当初の当該光ディスクからの反射光パワーのピーク値またはこれに相当する値の情報を出力する反射光パワーピーク値情報出力手段と、前記反射光パワーが前記ピーク値を越えて略々安定した状態での当該反射光パワーの安定値またはこれに相当する値の情報を出力する反射光パワー安定値情報出力手段と、前記反射光パワーピーク値またはこれに相当する値と前記反射光パワーの安定値とまたはこれに相当する値の比を求める演算手段と、試し書きに基づいて予め設定される前記比の設定値を与える比設定手段と、前記比の演算値が前記設定値に略々一致するように前記記録用レーザ光の記録パワー指令値を可変制御してピットの形成を行なう記録パワー制御手段とを具備してなるものである。
【００１１】
色素系ディスクに対して記録用レーザ光を照射してピットを形成する時の記録信号、反射光受光信号および形成されるピットの一例を図３に示す。反射光受光信号レベルは、記録用レーザ光の照射開始当初は未だピットが形成されていないため反射光レベルが高くなり、その後ピットが形成されていくに従い徐々に低下していずれ安定する。
【００１２】
発明者らの実験によれば、照射開始当初の反射光レベルのピーク値ＨＳとその後安定状態に達した後のレベル値ＨＬとの比が記録状態を反映しており、図４に示すようにＨＬ／ＨＳの値が小さいほどピットが深く形成されていることがわかった。また、ピットの深さはアシンメトリに影響し、適正なアシンメトリを得るためのピットの深さがあることがわかった。
【００１３】
そこで、この発明では、記録時に反射光パワーのピーク値ＨＳと安定値ＨＬを検出してその比を求め、これが予め実験等に基づいて定められた適正値になるように照射光パワー指令値を可変制御するようにしている。これにより、記録パワーは記録時の各時点でアシンメトリが適正になるように制御されるので、ディスク径方向位置によって記録感度が違っても、またレーザ光の波長が変化しても、常に適正な記録状態が得られる。なお、反射光パワー安定値ＨＬだけに基づいて記録パワーを制御すると、記録パワーの変動に伴い安定値ＨＬ自身も大きく変動してしまうので、ピット深さの情報は得られない。ピーク値と安定値の比に基づいて制御することにより記録パワーの変動の影響を受けずにピット深さの情報が得られ、記録パワーを適正なピット深さが得られる値に制御することができる。
【００１４】
なお、照射開始当初の反射光パワーのピーク値ＨＳは、照射パワー（記録パワー）とディスクの反射率にほぼ比例しており、ディスクの反射率は１枚のディスクではほぼ一定なので、反射光パワーのピーク値ＨＳは記録パワーにほぼ比例する。したがって、反射光パワーのピーク値ＨＳを用いる代わりに、これに相当する値として、記録パワー値（記録パワーの指令値あるいは検出値）を用いて、これと反射光パワーの安定値ＨＬとの比を求めて、これが適正値になるように記録パワーを制御することもできる。
【００１５】
【発明の実施の形態】
この発明の実施の形態を以下説明する。この実施の形態では、色素系のＣＤ−ＷＯディスク（ＣＤ規格の追記形ディスク）にピットを形成して情報の記録を行なう場合について説明する。図１はこの発明の実施の形態を示す制御ブロック構成で、その動作を図５に示す。
【００１６】
図１において光ヘッド１２内のレーザダイオードから出力される記録用レーザ光１１は対物レンズ１３で集束されて、光ディスク１の記録面に照射されて、記録を行なう。このとき光ディスク１で反射された記録用レーザ光の戻り光は対物レンズ１３から入射されて光ヘッド１２内の受光素子で受光される。この受光信号は、ＨＦアンプ１４を介してピークホールド回路１６およびサンプルホールド回路１８に入力される。
【００１７】
ピークホールド回路１６は、ピットを形成するために光ディスク１に対して記録用レーザ光の照射を開始した当初の光ディスク１からの反射光パワーのピーク値ＨＳを検出するもので、記録信号が立ち上がってから一定の期間内でのピーク値を反射光ピーク値ＨＳとして検出する。サンプルホールド回路１８は、記録用レーザ光の照射開始後反射光パワーがピーク値を越えて略々安定した状態に達したときの反射光パワーの安定値ＨＬを検出するもので、記録信号の立下り直前の反射光パワー値（反射光信号の応答を少し遅らせておいて記録信号の立下りでサンプルホールドする。あるいは記録信号を遅延して記録し、遅延している間に記録信号幅を検出して、その検出幅に応じて記録信号が立ち下がる手前のタイミングでサンプルホールドする。）、あるいは記録信号が立上がった後反射光パワーが略々安定すると予想される時間経過後のタイミングでの反射光パワー値、あるいは反射光パワーの変化状態を実際に検出してある程度安定した状態が検出された後の反射光パワー値等を反射光パワー安定値ＨＬとして検出する。
【００１８】
演算手段２０は、反射光パワーピーク値ＨＳと反射光パワー安定値ＨＬとの比ＨＬ／ＨＳを求める。比設定手段２２は、予め試し書きにより求めたＨＬ／ＨＳの最適値（所望のアシンメトリが得られるＨＬ／ＨＳの値）を設定する。
【００１９】
比較手段２６は、ＨＬ／ＨＳの設定値と検出値を比較して、検出値を設定値に一致させるための記録パワーの指令値を出力する。すなわち、比較手段２６は、ＨＬ／ＨＳの検出値がその設定値よりも大きくなるほど（つまり、最適なピット深さよりも浅い状態）記録パワーの指令値を上げるように動作する。ＡＬＰＣ（Ａｕｔｏｍａｔｉｃ  Ｌａｓｅｒ  Ｐｏｗｅｒ  Ｃｏｎｔｒｏｌ）  回路２８は、光ヘッド１２内のレーザダイオードを記録信号で変調して駆動することによりレーザダイオードから記録用レーザ光１１を出射させる。この時の記録パワーは記録パワー指令値と記録パワー検出値の偏差に基づくフィードバック制御により、記録パワー指令値に一致するように高精度に制御される。
【００２０】
以上の構成により、光ディスク１の記録時に、ＨＬ／ＨＳ検出値をＨＬ／ＨＳ設定値に一致させるように記録パワー指令値がリアルタイムで可変制御され、これによりディスク径方向位置での記録層の状態の違いや記録用レーザ光１１の波長の変動にかかわらず、常にアシンメトリが所望の値になるような記録状態（特に記録深さ）が得られて再生時のエラー発生率を減少させることができる。
【００２１】
図１の光ディスク記録装置においてＨＬ／ＨＳの最適値を求めて実際の記録を行なうまでの手順の一例を図６に示す。はじめに、記録を行なおうとする光ディスク１のリードイン領域よりもさらに内周側の部分を使って試し書きを行なう。試し書きは、例えば１１Ｔ−１１Ｔと３Ｔ−３Ｔの組合せからなるテストパターンを記録パワーを例えば０．３〜０．５ｍＷステップで順次変化させて記録する。このとき、各記録パワーごとに１１Ｔのピットを形成するときの反射光パワーの波形を観測して反射光パワーピーク値ＨＳ、反射光パワー安定値ＨＬを検出し、その比ＨＬ／ＨＳを求める（Ｓ１）。次に、この試し書きされたテストパターンを再生して、記録パワーごとに１１Ｔ−１１Ｔ、３Ｔ−３Ｔの再生波形から前記式（１）によりアシンメトリを求める（Ｓ２）。そして、その中から所望のアシンメトリが得られる時の記録パワーを選定し、この記録パワーで記録した時の比としてすでに求められているＨＬ／ＨＳの値を選び出す（Ｓ３）。この選び出されたＨＬ／ＨＳの値を比設定手段２４に設定して光ディスク１のリードイン領域やプログラム領域に実記録を行なえば（Ｓ４）、最適の記録状態が得られる。
【００２２】
ピット長が短いピットを形成する場合、反射光パワーが安定しないうちに反射光信号が立ち下がってしまうことが考えられる。したがって、このような場合にはある程度長いピット（例えば６〜１１Ｔ）を形成する場合のみＨＬ／ＨＳを算出するようにすればよい。これは、例えば図１に点線３０で示すように、書込みパルス幅識別手段を設けて記録信号が立ち上がっている長さを検出し、これが５Ｔよりも長く連続した場合にのみサンプリングを行なうことで実現される。あるいは記録信号が１１Ｔの場合のみサンプリングをするように定める（例えば記録信号の立ち上がり期間が１０Ｔよりも長く連続したことを検出したらサンプリングを行なう）こともできる。このようにサンプリング数を限定しても長いパルスは頻繁に現われるので記録パワーの制御をするうえで何ら支障はない。
【００２３】
また、求められたＨＬ／ＨＳをそのまま用いて記録パワーの制御をすると記録パワーが不測に変動するおそれがある場合は、例えば図１に点線２２で示すように、平均化回路を設けて、ＨＬ／ＨＳを所定の時間内で平均して用いることもできる。
【００２４】
また、前述のように照射開始当初の反射光パワーのピーク値ＨＳは、照射パワー（記録パワー）とディスクの反射率にほぼ比例しており、ディスクの反射率は１枚のディスクではほぼ一定なので、反射光パワーのピーク値ＨＳは記録パワーにほぼ比例する。したがって、反射光パワーのピーク値ＨＳを用いる代わりに、これに相当する値として、記録パワー値（図１に点線ＨＳ′で示すように記録パワーの指令値あるいは点線ＨＳ″で示すように記録パワーの検出値）を用いることもできる。
【００２５】
また、反射光パワーの安定値ＨＬは、記録信号の立上りから所定期間後の反射光パワーのサンプル値として求める代わりに、例えば１１Ｔのピットを形成した時の反射光パワーの平均値を反射光パワーの安定値に相当する値として用いても、１１Ｔであれば安定している期間が長く照射開始時のピークの影響は少ないからさほど誤差なく制御を行なうことができる。
【００２６】
前記実施の形態では色素系のＣＤ−ＷＯディスクの記録にこの発明を適用した場合について示したが、これに限らず記録パワーによってＨＬ／ＨＳが変動する各種光ディスク記録媒体の各種記録方式に適用することができる。
【００２７】
【発明の効果】
以上説明したように、この発明によれば、ピットの形成時に当該ピットの形成状態を検出し、適正なピットの形成状態が得られるように記録用レーザ光の記録パワー指令値を可変制御するようにしたので、ディスクを記録している際に記録層の状況やレーザ光の波長等が変化しても、常に適正な記録状態を得ることができる。
【００２８】
また、この発明によれば、記録時に反射光パワーのピーク値と安定値またはこれらに相当する値を検出してその比を求め、これが予め実験等に基づいて定められた適正値になるように照射光パワー指令値を可変制御するようにしたので、記録パワーは記録時の各時点でアシンメトリが適正になるように制御され、ディスク径方向位置によって記録感度が違っても、またレーザ光の波長が変化しても、常に適正な記録状態が得られる。
【図面の簡単な説明】
【図１】この発明の実施の形態を示すブロック図である。
【図２】１１Ｔ−１１Ｔおよび３Ｔ−３Ｔの記録パターンの再生波形である。
【図３】記録時の波形図である。
【図４】ＨＬ／ＨＳに対する記録深さの関係を示す図である。
【図５】図１の装置の動作波形図である。
【図６】図１のディスク記録装置において、ＨＬ／ＨＳの最適値を求めて実際の記録を行なうまでの手順の一例を示す工程図である。
【符号の説明】
１…光ディスク
１１…記録用レーザ光
１６…ピークホールド回路（反射光パワーピーク値情報出力手段）
１８…サンプルホールド回路（反射光パワー安定値情報出力手段）
２０…演算手段
２４…比設定手段
２６，２８…比較手段、ＡＬＰＣ回路（記録パワー制御手段）
ＨＳ…反射光パワーのピーク値
ＨＬ…反射光パワーの安定値
【図１】
0003578108.tif 000002
【図２】
0003578108.tif 000003
【図３】
0003578108.tif 000004
【図４】
0003578108.tif 000005
【図５】
0003578108.tif 000006
【図６】
0003578108.tif 000007